(57)【要約】通信システムは、ユーザに無線サービスを提供する公衆移動体ネットワーク（ＰＬＭＮ：Ｐｕｂｌｉｃ  Ｌａｎｄ  Ｍｏｂｉｌｅ  Ｎｅｔｗｏｒｋ）と、前記ＰＬＭＮの外部で異なるＰＬＭＮとして機能する無線ローカルエリアネットワーク（ＷＬＡＮ）とを有する。ＰＬＭＮ間バックボーンはＰＬＭＮに対してＷＬＡＮをインタフェース接続し、相互接続機能がＷＬＡＮに結合され、ＰＬＭＮとＷＬＡＮでのシームレスな相互作用を提供し、ＰＬＭＮのユーザに提供される利用可能なサービス帯域を増加させる。
2005523613.tif 000002
【特許請求の範囲】
【請求項１】
複数の移動局と通信するアクセスポイントと、
公衆移動体ネットワーク（ＰＬＭＮ：Ｐｕｂｌｉｃ  Ｌａｎｄ  Ｍｏｂｉｌｅ  ｎｅｔｗｏｒｋ）間バックボーンを介して、前記アクセスポイントと選択されたＰＬＭＮとの間に結合され、前記選択されたＰＬＭＮと無線ローカルエリアネットワーク（ＷＬＡＮ）との間の通信を可能にする相互接続機能と、
を有する無線ローカルエリアネットワーク（ＷＬＡＮ）であって、
前記ＷＬＡＮが前記選択されたＰＬＭＮに対してその他のＰＬＭＮのように見えるＷＬＡＮ。
【請求項２】
請求項１に記載のＷＬＡＮであって、
前記相互接続機能が、Ｇｐインタフェースを使用して、前記選択されたＰＬＭＮとの通信を可能にするＷＬＡＮ。
【請求項３】
請求項２に記載のＷＬＡＮであって、
前記相互接続機能が、論理サービス汎用パケット無線サービス（ＧＰＲＳ：Ｇｅｎｅｒａｌ  Ｐａｃｋｅｔ  Ｒａｄｉｏ  Ｓｅｒｖｉｃｅ）サポートノード（ＳＧＳＮ：Ｓｅｒｖｉｎｇ  ＧＰＲＳ  Ｓｕｐｐｏｒｔ  Ｎｏｄｅ）の機能を実行するＷＬＡＮ。
【請求項４】
請求項３に記載のＷＬＡＮであって、
前記相互接続機能が、前記選択されたＰＬＭＮにより、その他のＵＴＭＳ／ＧＰＲＳのＰＬＭＮのＳＧＳＮとしてみなされるＷＬＡＮ。
【請求項５】
請求項１に記載のＷＬＡＮであって、
前記選択されたＰＬＭＮが、セッション管理／ＧＰＲＳモビリティ管理（ＳＭ／ＧＭＭ）手順を有し、
前記ＳＭ／ＧＭＭ手順が、無線リソース制御（ＲＲＣ：Ｒａｄｉｏ  Ｒｅｓｏｕｒｃｅ  Ｃｏｎｔｒｏｌ）プロトコルのサブレイヤの機能を模倣するために、移動体二重プロトコルスタックとＷＬＡＮインタフェースへのＩＷＦにおける適合レイヤの使用により、前記ＷＬＡＮで再利用されるＷＬＡＮ。
【請求項６】
請求項１に記載のＷＬＡＮであって、
前記相互接続機能が、
ＵＭＴＳトラヒックを減少させるために、前記ＧＧＳＮから生じたダウンリンクトラヒックに対してＧＧＳＮと前記相互接続機能との間でＧＰＲＳトンネリング・プロトコルを利用し、
前記相互接続機能と前記ＧＧＳＮとのトラヒックを減少させるために、全てのその他のトラヒックに対して全てのユーザへの共通インターネットアクセスを提供するＷＬＡＮ。
【請求項７】
請求項１に記載のＷＬＡＮであって、
前記選択されたＰＬＭＮが、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）を有するＷＬＡＮ。
【請求項８】
無線ローカルエリアネットワーク（ＷＬＡＮ）を介して、選択された公衆移動体ネットワーク（ＰＬＭＮ：Ｐｕｂｌｉｃ  Ｌａｎｄ  Ｍｏｂｉｌｅ  ｎｅｔｗｏｒｋ）と通信する方法であって、
ＰＬＭＮ間インタフェースを通じて前記選択されたＰＬＭＮに前記ＷＬＡＮを接続するステップと、
前記ＷＬＡＮと前記選択されたＰＬＭＮとの間でプロトコルを変換するインタフェースと通信する相互接続機能を提供するステップと
を有し、
前記ＷＬＡＮから前記選択されたＰＬＭＮへの通信が、その他のＰＬＭＮから生じたように見え、
前記選択されたＰＬＭＮから前記ＷＬＡＮへの通信が、前記ＷＬＡＮ内から生じたように見える方法。
【請求項９】
請求項８に記載の方法であって、
前記提供するステップが、Ｇｐインタフェースを使用して前記選択されたＰＬＭＮと前記ＷＬＡＮとの間を通信する相互接続機能を提供することを有する方法。
【請求項１０】
請求項８に記載の方法であって、
前記提供するステップが、サービス汎用パケット無線サービス（ＧＰＲＳ：Ｇｅｎｅｒａｌ  Ｐａｃｋｅｔ  Ｒａｄｉｏ  Ｓｅｒｖｉｃｅ）サポートノード（ＳＧＳＮ：Ｓｅｒｖｉｎｇ  ＧＰＲＳ  Ｓｕｐｐｏｒｔ  Ｎｏｄｅ）の機能を模倣する相互接続機能を提供することを有する方法。
【請求項１１】
請求項８に記載の方法であって、
前記選択されたＰＬＭＮのトラヒックを減少させるために、前記ＧＧＳＮから生じたダウンリンクトラヒックに対してＧＧＳＮと前記相互接続機能との間でＧＰＲＳトンネリング・プロトコルを利用することを更に有する方法。
【請求項１２】
請求項８に記載の方法であって、
無線リソース制御（ＲＲＣ：Ｒａｄｉｏ  Ｒｅｓｏｕｒｃｅ  Ｃｏｎｔｒｏｌ）プロトコルのサブレイヤの機能を模倣するために、ＷＬＡＮインタフェースへの相互接続の移動体二重プロトコルスタックに適合レイヤを更に有し、それによってセッション管理／ＧＰＲＳモビリティ管理（ＳＭ／ＧＭＭ）手順が前記ＷＬＡＮで再利用される方法。
【請求項１３】
無線ローカルエリアネットワーク（ＷＬＡＮ）において移動局及び選択された公衆移動体ネットワーク（ＰＬＭＮ：Ｐｕｂｌｉｃ  Ｌａｎｄ  Ｍｏｂｉｌｅ  ｎｅｔｗｏｒｋ）と通信する方法であって、
ルーティング領域識別子をブロードキャストするステップと、
前記ブロードキャストに応じて前記ＷＬＡＮの受信範囲領域に入った前記移動局からルーティング領域の更新要求を受信するステップと、
Ｇｐインタフェースを使用してＰＬＭＮ間バックボーンを介して、選択されたＰＬＭＮのＳＧＳＮに前記ルーティング領域の更新要求を送信するステップであって、前記ＷＬＡＮが前記選択されたＰＬＭＮに対して論理ＰＬＭＮのように見えるステップと、
前記ＰＬＭＮ間バックボーンを介して前記ＳＧＳＮからコンテキスト応答を受信するステップと
を有する方法。
【請求項１４】
請求項１３に記載の方法であって、
前記選択されたＰＬＭＮが、ユニバーサル移動体通信システム（ＵＭＴＳ）ネットワークを有する方法。
【請求項１５】
請求項１３に記載の方法であって、
前記ＷＬＡＮが前記選択されたＰＬＭＮに対してその他のＰＬＭＮのように見えるように、サービスＧＰＲＳサポートノード（ＳＧＳＮ：Ｓｅｒｖｉｎｇ  ＧＰＲＳ  Ｓｕｐｐｏｒｔ  Ｎｏｄｅ）の機能を模倣する相互接続機能を提供するステップを更に有する方法。
【発明の詳細な説明】
【技術分野】
【０００１】
本発明は、概してネットワーク通信に関するものであり、特にＷＬＡＮ（無線ローカルエリアネットワーク）−ＵＭＴＳ（ユニバーサル移動体通信システム）通信用の公衆移動体ネットワーク（ＰＬＭＮ：ｐｕｂｌｉｃ  ｌａｎｄ  ｍｏｂｉｌｅ  ｎｅｔｗｏｒｋ）としての無線ローカルエリアネットワーク（ＷＬＡＮ）の相互接続用の方法とシステムに関するものである。
【背景技術】
【０００２】
ユニバーサル移動体通信システム（ＵＭＴＳ）は、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）として知られるフレームワーク内で開発された‘第３世代’（３Ｇ）移動体通信システムである。ＵＭＴＳは高品質の無線マルチメディア通信の大量市場を作る重要な役割を果たす。ＵＭＴＳは、固定と無線と衛星のネットワークを介して高付加価値のブロードバンド情報と商取引と娯楽サービスを移動体ユーザに配信するように、多くの無線機能を可能にする。ＵＭＴＳは、通信業界と情報技術業界とメディア業界とコンテンツ業界との収束を加速し、新たなサービスを配信して収益を上げるサービスを作る。多くの場合、ＵＭＴＳは、静止状態で２Ｍビット／秒のオーダーまでのデータレートで、グローバル・ローミングとその他の進歩した機能を備えて、低コストで高容量の移動体通信を配信する。
【発明の開示】
【発明が解決しようとする課題】
【０００３】
ＵＭＴＳネットワークの１つの欠点は、高コストのスペクトラムと、ＷＬＡＮ（無線ローカルエリアネットワーク）と比較した低データレートである。従って、ＩＥＥＥ８０２．１１やＥＴＳＩ  Ｈｉｐｅｒｌａｎ２のような無免許の帯域の高データレートのＷＬＡＮでＵＭＴＳを補完し、ＵＭＴＳの無線リソースを節約し、ＵＭＴＳのＲＡＮ（無線アクセスネットワーク）の効率を増加させることが有利である。
【０００４】
従って、ＵＭＴＳ帯域を補完して全体の性能と効率を増加させるために、ＷＬＡＮ帯域を利用するシステムと方法の必要性が存在する。ＰＬＭＮ（公衆移動体ネットワーク）間バックボーンを通じたその他のＰＬＭＮとして、ＷＬＡＮ受信範囲領域がＵＭＴＳネットワークと相互作用するアーキテクチャの更なる必要性が存在する。
【課題を解決するための手段】
【０００５】
本発明による通信システムは、ユーザに無線サービスを提供する公衆移動体ネットワーク（ＰＬＭＮ：Ｐｕｂｌｉｃ  Ｌａｎｄ  Ｍｏｂｉｌｅ  Ｎｅｔｗｏｒｋ）と、ＰＬＭＮの外部で機能する無線ローカルエリアネットワーク（ＷＬＡＮ）とを有する。ＰＬＭＮ間バックボーンはＰＬＭＮに対してＷＬＡＮをインタフェース接続し、相互接続機能がＷＬＡＮに結合され、ＰＬＭＮとＷＬＡＮでのシームレスな相互作用を提供し、ＰＬＭＮのユーザに提供される利用可能なサービス帯域を増加させる。
【０００６】
他の実施例において、ＰＬＭＮはＳＭ／ＧＭＭ（セッション管理（ＳＭ）／ＧＰＲＳモビリティ管理（ＧＭＭ））手順を有することがある。そのＳＭ／ＧＭＭ手順は、ＲＲＣ（無線リソース制御（Ｒａｄｉｏ  Ｒｅｓｏｕｒｃｅ  Ｃｏｎｔｒｏｌ））の機能を模倣するために、移動体二重プロトコルスタックとＷＬＡＮインタフェースへの相互接続機能（ＩＷＦ：Ｉｎｔｅｒｗｏｒｋｉｎｇ  Ｆｕｎｃｔｉｏｎ）における適合レイヤの使用により、ＷＬＡＮで再利用される。前記システムは、ＧＧＳＮとＩＷＦとの間にＧＰＲＳトンネリング・プロトコル（ＧＴＰ）のトンネルを更に有することがあり、そのトンネルは、システムトラヒックを減少させるためにＧＧＳＮから生じたダウンリンクトラヒックのみに使用される。前記システムは、ＰＬＭＮにサービス提供するためのサービスプロバイダへの単一点の連結と、ＷＬＡＮで顧客基盤の制御を保持する付属のＷＬＡＮとを有することがある。
【０００７】
公衆移動体ネットワーク（ＰＬＭＮ）の帯域を増加させる方法は、ＰＬＭＮ間インタフェースを通じてＰＬＭＮに無線ローカルエリアネットワーク（ＷＬＡＮ）を接続し、相互接続機能を提供することを有し、その相互接続機能は、ＰＬＭＮとＷＬＡＮとの間でプロトコルを変換するインタフェースと通信し、それによりＷＬＡＮから受信された通信がその他のＵＭＴＳ／ＧＰＲＳのＰＬＭＮから生じたように見え、ＷＬＡＮに送信された通信がＷＬＡＮ内から生じたように見える。
【０００８】
公衆移動体ネットワーク（ＰＬＭＮ：ｐｕｂｌｉｃ  ｍｏｂｉｌｅ  ｌａｎｄ  ｎｅｔｗｏｒｋ）として無線ローカルエリアネットワーク（ＷＬＡＮ）を使用する方法は、プロトコル互換性を提供する相互接続機能を使用し、ＷＬＡＮを使用してＵＭＴＳのＰＬＭＮのユーザにサービス提供することにより、ＵＭＴＳのＰＬＭＮとＷＬＡＮに対してインタフェースを提供するＧｐインタフェースを使用して、ＰＬＭＮ間バックボーンを通じてユニバーサル移動体通信システム（ＵＭＴＳ）のＰＬＭＮをＷＬＡＮに接続する。
【発明を実施するための最良の形態】
【０００９】
本発明の利点と本質と多様な更なる機能が、添付図面とともに詳細に説明される例示的な実施例を考慮することにより、完全に明らかになる。
【００１０】
当然のことながら、図面は本発明の概念を示す目的であり、必ずしも本発明を構成する唯一の可能な構成ではない。
【００１１】
本発明は、無線ネットワークで利用可能な帯域を利用する方法とシステムを提供する。無線ローカルエリアネットワーク（ＷＬＡＮ）の受信範囲領域が、ＰＬＭＮ（公衆移動体ネットワーク（Ｐｕｂｌｉｃ  Ｌａｎｄ  Ｍｏｂｉｌｅ  Ｎｅｔｗｏｒｋ））間バックボーンを通じてその他のＰＬＭＮとしてユニバーサル移動体通信システム（ＵＭＴＳ）ネットワークと相互作用するアーキテクチャが提供される。
【００１２】
２つのＰＬＭＮ間でローミングが使用される。ＰＬＭＮ間ローミングに対応する可能な方法は、“Ｎｕｍｂｅｒｉｎｇ，  ａｄｄｒｅｓｓｉｎｇ  ａｎｄ  ｉｄｅｎｔｉｆｉｃａｔｉｏｎ”という見出しで３Ｇ  ＴＳ２３．００３に簡単に記載されている。移動局（ＭＳ）又はユーザ装置（ＵＥ）がＳＧＳＮ（サービスＧＰＲＳサポートノード（Ｓｅｒｖｉｎｇ  ＧＰＲＳ  Ｓｕｐｐｏｒｔ  Ｎｏｄｅ）からその他のＰＬＭＮのＳＧＳＮに移動すると、新たなＳＧＳＮは以前のＳＧＳＮのアドレスへのアクセスを有さないことがある。その代わりに、ＳＧＳＮは以前のＲＡ（無線アクセス）情報を論理名に変換する。次に、ＳＧＳＮは論理アドレス（例えば論理ＳＧＳＮ）を使用して、ドメインネームサーバ（ＤＮＳ）から以前のＳＧＳＮのＩＰアドレスを取得することがある。各ＰＬＭＮは１つのＤＮＳサーバを有するべきである。
【００１３】
ＧＰＲＳにＤＮＳの概念を導入することにより、例えばＧＰＲＳサポートノード（ＧＳＮ：ＧＰＲＳ  Ｓｕｐｐｏｒｔ  Ｎｏｄｅ）を参照する際にＩＰアドレスの代わりに論理名を使用することができ、それによりＰＬＭＮノードのアドレス指定に柔軟性を有する。シームレスなＰＬＭＮ間ローミングに対応するその他の方法は、ＳＧＳＮのＩＰアドレスをＨＬＲ（ホーム・ロケーション・レジスタ（ｈｏｍｅ  ｌｏｃａｔｉｏｎ  ｒｅｇｉｓｔｅｒ））に格納し、必要に応じてアドレスを要求することである。ＴＳ２３００３は、公衆移動体ネットワーク（ＰＬＭＮ：Ｐｕｂｌｉｃ  Ｌａｎｄ  Ｍｏｂｉｌｅ  Ｎｅｔｗｏｒｋ）がそのＰＬＭＮ識別子により一意に識別されることを記載している。
【００１４】
ＰＬＭＮ−Ｉｄは、移動国コード（ＭＣＣ：Ｍｏｂｉｌｅ  Ｃｏｕｎｔｒｙ  Ｃｏｄｅ）と移動体ネットワークコード（ＭＮＣ：Ｍｏｂｉｌｅ  Ｎｅｔｗｏｒｋ  Ｃｏｄｅ）で構成される。仕様によると、ＭＳが異なるＰＬＭＮで２つのセルを受信できる場所が存在することが可能であり、重複するＰＬＭＮが存在することも可能である。そのような場合、ＮＡＳ（非アクセス層（Ｎｏｎ  Ａｃｃｅｓｓ  Ｓｔｒａｔｕｍ）は、同等のＰＬＭＮと禁止のＰＬＭＮのリストを維持することにより、セル選択を制御することがある。同等のＰＬＭＮは、ＮＡＳにより提供された情報に従うＰＬＭＮ選択、セル選択、セル再選択及びハンドオーバー用に、ＵＥによる選択されたＰＬＭＮと同等のもととしてみなされるＰＬＭＮである。移動体が格納された“同等のＰＬＭＮ”を有する場合、“同等のＰＬＭＮ”リストに格納された現在のサービス提供ＰＬＭＮより高い優先度である場合に限り、ＰＬＭＮを選択しなければならない。それぞれの位置更新手順とルーティング領域更新手順とＧＰＲＳ連結手順の終わりに、そのリストは交換又は消去される。同様に、ＭＳは、“ＧＰＲＳサービスに対して禁止のＰＬＭＮ”のリストを有しなければならず、ここで禁止のＰＬＭＮは、ＭＳが連結することを許可されていないＰＬＭＮである。前記仕様はまた、新たなＰＬＭＮが禁止のリストにない限り、ＭＳは、１つのＰＬＭＮのルーティング領域からその他のＰＬＭＮのルーティング領域に移動したときに、通常のルーティング領域更新手順を開始することを記載する。
【００１５】
ＷＬＡＮ受信範囲領域とＵＭＴＳのような他の無線アクセス技術（ＲＡＴ）とを相互接続する複数のアーキテクチャが提供される。ＷＬＡＮをその他のＰＬＭＮとして定め、ＷＬＡＮとＵＭＴＳネットワークとの間で通信をするためにＰＬＭＮ間バックボーンを使用することにより、ＵＭＴＳネットワークを補完するために何らかの既存のＷＬＡＮ受信範囲領域を使用することを支援する新規な手法が提示される。３ＧネットワークのＱｏＳ（サービス品質）ネゴシエーションとモビリティとＡＡＡ（認証、承認及びアカウント（Ａｕｔｈｅｎｔｉｃａｔｉｏｎ，  Ａｕｔｈｏｒｉｚａｔｉｏｎ  ａｎｄ  Ａｃｃｏｕｎｔｉｎｇ））手順が再利用される。如何なる者もＷＬＡＮを所有することができる。換言すると、２つの異種の相互接続ネットワークは、同じサービスプロバイダにより所有されないことがある。本発明は、論理ＰＬＭＮに基づくＷＬＡＮからそのホームＰＬＭＮへの“ローミング”機能に対応する手段を提供する。有利には、本発明は、ＰＬＭＮ間ローミング標準を使用して相互に相互接続する必要のある如何なる２つの異種のネットワークシステム（例えば、汎用パケット無線システム（ＧＰＲＳ）／ＣＤＭＡ２０００、ＤＳＬネットワーク、ケーブルネットワーク又は衛星ネットワーク）でも動作し得る。
【００１６】
当然のことながら、本発明は例示的なＷＬＡＮ−ＵＴＭＳのＵＭＴＳシステムアーキテクチャに関して説明されるが、本発明はより広く、通信サービスを提供可能な如何なる無線ネットワークシステムを有してもよい。当然のことながら、図面に示される要素は、多様な形態のハードウェア、ソフトウェア又はその組み合わせで実装されることがある。好ましくは、その要素は１つ以上の適切にプログラムされた多目的装置に実装され、その多目的装置はプロセッサと、メモリと、入出力インタフェースを有することがある。
【００１７】
次に図面を参照すると、同様の参照数字は図面を通じて類似又は同一の要素を特定する。まず図１を参照すると、無線ネットワークで音声とデータと映像とその他のサービスを統合するシステムアーキテクチャ１０が示されている。システムアーキテクチャ１０は、本発明に従う本発明の方法とシステムを使用する例示的なＵＬＡＮ−ＵＭＴＳ環境として提示されている。当業者にわかるシステムアーキテクチャを構成する個々のブロック構成要素の詳細のみが、本発明の理解に十分な程度に詳細に説明される。
【００１８】
本発明は、ＵＭＴＳネットワーク１２とＷＬＡＮネットワーク１４に関して例示的に説明される（例えばこれらのネットワークにＩＥＥＥ８０２．１１とＨＩＰＥＲＬＡＮ２標準が使用されてもよい）。ＵＭＴＳ移動体ネットワーク１２（例えば第３世代（３Ｇ）ネットワーク）は無線アクセスネットワーク（ＲＡＮ）８と通信し、その無線アクセスネットワーク（ＲＡＮ）８はノードＢ１１と無線ネットワークコントローラ（ＲＮＣ：Ｒａｄｉｏ  Ｎｅｔｗｏｒｋ  Ｃｏｎｔｒｏｌｌｅｒ）９とを有する。次にＲＡＮ８はコアネットワーク（ＣＮ）１３に連結され、そのコアネットワーク（ＣＮ）１３は、ＳＧＳＮ（サービスＧＰＲＳサポートノード（Ｓｅｒｖｉｎｇ  ＧＰＲＳ  Ｓｕｐｐｏｒｔ  Ｎｏｄｅ））２８のようなパケットに基づくサービスと、ＭＳＣ（移動体交換センター（Ｍｏｂｉｌｅ  Ｓｗｉｔｃｈｉｎｇ  Ｃｅｎｔｅｒ））２１のような回線に基づくサービスと、ＧＧＳＮ（ゲートウェイＧＰＲＳサポートノード（Ｇａｔｅｗａｙ  ＧＰＲＳ  Ｓｕｐｐｏｒｔ  Ｎｏｄｅ））２４のような他のＰＬＭＮへのゲートウェイとを有する。コアネットワーク１３は、公衆交換電話網（ＰＳＴＮ）５とインターネット７への接続／インタフェースに対応する。
【００１９】
他の構成要素もコアネットワーク１３に含まれることがある。例えば、加入者プロフィールと移動局（ＭＳ）４０の認証ベクトルとを格納するホーム・ロケーション・レジスタ５０が提供されてもよい。本発明により、ネットワーク１２（例えばＰＬＭＮ）は、相互接続機能２５を使用することにより、ボーダーゲートウェイ（ＢＧ：Ｂｏｒｄｅｒ  Ｇａｔｅｗａｙ）２６とＰＬＭＮ間バックボーンネットワーク１８を使用して、Ｇｐインタフェースと呼ばれるＧインタフェースを通じて無線ＬＡＮ１４にインタフェース接続される。ＭＳ４０はアクセスポイント３０に接続し、ＭＳ４０が無線アクセスネットワーク間を移動すると、本発明に従ってＭＳ４０がＷＬＡＮ１４とＵＭＴＳ１２とをシームレスに切り替えられる。
【００２０】
ＷＬＡＮ相互接続機能（ＩＷＦ）２５は、ＲＮＣ９を迂回してＳＧＳＮ２８（パケット交換（ＰＳ）サービスと仮定する）に接続する。ＧＧＳＮ２４は、パケットデータ（ＰＤ）レイヤでモビリティを管理するが、ネットワーク１２と１４の２つの物理レイヤのインタフェースのハンドオフのモビリティを提供するために、ＩＷＦ２５はＳＧＳＮ２８と通信する必要がない。このことは、図３と４に示される通り、ＩＷＦ２５とＳＧＳＮ２８の間にＧｐインタフェースを実装することにより、達成され得る。３ＧのＳＧＳＮ２８は、その他のＰＬＭＮにおいてＩＷＦ２５を‘論理’ＧＧＳＮ又は擬似ＳＧＳＮとして認識する。
【００２１】
ＳＧＳＮ（ＩＷＦ）−ＧＧＳＮ部分は、高データレートのＷＬＡＮホットスポットを処理する際にボトルネックになることがある。その場合、その他の選択肢は、ＧＧＳＮ２４とＩＷＦ２５の間でＧＰＲＳトンネリング・プロトコル（ＧＴＰ）のトンネル１１を使用することであり、そのトンネル１１は、ＭＳ４０のユーザ装置（ＵＥ）のためにＧＧＳＮ２４から生じたダウンリンクトラヒックにのみ使用される。その他の全てのトラヒックについては、ＷＬＡＮ１４がＵＥへの一般的なインターネットアクセスを提供する。これはＳＧＳＮ−ＧＧＳＮを通じたトラヒックを減少させる。
【００２２】
図２を参照すると、この例では２種類のバックボーンネットワークが存在する。それらはＰＬＭＮ内バックボーンネットワーク２０とＰＬＭＮ間バックボーンネットワーク１８と呼ばれる。ＰＬＭＮ内バックボーンネットワーク２０は、好ましくは同じＰＬＭＮ１２内でＧＳＮ（ゲートウェイサポートノード（Ｇａｔｅｗａｙ  Ｓｕｐｐｏｒｔ  Ｎｏｄｅ））（図示なし）を相互接続するインターネットプロトコル（ＩＰ）ネットワークを有する。ＰＬＭＮ間バックボーンネットワーク１８は、好ましくは異なるＰＬＭＮ（例えばＰＬＭＮ１２と１４）でＧＳＮとＰＬＭＮ内バックボーンネットワーク１８を相互接続するデータパケット（ＤＰ）ネットワークを有する。各ＰＬＭＮ内バックボーンネットワーク１８は、好ましくはパケットドメインのデータとシグナリングのみを対象としたプライベートＤＰネットワークである。本発明によると、ＷＬＡＮバックボーンネットワーク２２が、ＰＬＭＮ内バックボーンとして使用される。
【００２３】
２つのＰＬＭＮ内バックボーンネットワーク２０と２２は、有利にはボーダーゲートウェイ（ＢＧ：Ｂｏｒｄｅｒ  Ｇａｔｅｗａｙ）２６とＰＬＭＮ間バックボーンネットワーク１８を使用して、Ｇｐインタフェースを介して接続される。ＰＬＭＮ間バックボーンネットワーク１８は、プロバイダ間又はその他のデフォルトの選択肢の間のローミングの取り決めによって選択され、そのローミングの取り決めはネットワーク内にプログラムされることがある。ローミングの取り決めはまた、好ましくはＢＧ２６セキュリティ機能も同様に有する。ＰＬＭＮ間バックボーン１８は、パケットデータネットワーク（例えば公衆インターネット又は専用線）に含まれることがあるが、その他の種類のネットワークが含まれることもある。
【００２４】
ＷＬＡＮのＰＬＭＮ１４は複数のアクセスポイント３０を有し、その複数のアクセスポイント３０により、無線ユーザ装置（ＵＥ）又は移動局（ＭＳ）がＷＬＡＮにアクセスして使用することが可能になる。そのような情報は、ルータ２７と適切なセキュリティ及びプロトコルインタフェース（例えばＧｉ）を使用することにより、パケットデータネットワーク１６で転送されることがある。
【００２５】
本発明により、ＷＬＡＮ１４はその他のＰＬＭＮとして実装され、ＩＷＦ（相互接続機能）２５は、ＧｐインタフェースによりＰＬＭＮ間バックボーン１８を通じてＵＭＴＳネットワーク１２と相互作用する。このアーキテクチャを実装する１つの手法には、ＩＷＦ２５を論理ＳＧＳＮ（ＳＧＳＮ２８と類似するもの）として扱うことが含まれ、ＳＧＳＮ及び／又はＧＧＳＮが異なるＰＬＭＮに存在する時と同じように、そのＩＷＦ２５がＧｐインタフェースでＵＭＴＳのＰＬＭＮの“以前の”ＳＧＳＮと通信し、それらがＧｐインタフェースを介して相互接続される。このように、ＩＷＦ２５がその他のＰＬＭＮのＳＮＳＮ又はＧＧＳＮに存在するように、ＵＭＴＳのＰＬＭＮ１２は、ＷＬＡＮ環境のＩＷＦ２５を通じてインタフェース接続する。Ｇｐインタフェースは、Ｇｎインタフェースの機能を提供すると共に、ＰＬＭＮ間通信に必要なセキュリティ機能を提供する。セキュリティ機能は、オペレータ間（例えばＷＬＡＮネットワーク１４と３Ｇ（ＵＭＴＳ）ネットワーク１２のオペレータ間）の双方の合意に基づく。Ｇｎインタフェースは同じＰＬＭＮのＳＳＧＮとＧＧＳＮの間のインタフェースになり、Ｇｐインタフェースは異なるＳＳＧＮとＧＧＳＮの間のインタフェースになる。
【００２６】
図３と４を参照すると、図２のアーキテクチャ１０のユーザプレーンのスタックと制御プレーンのスタックが例示的に示されている。論理ＳＧＳＮ又は擬似ＳＧＳＮは、インタフェースとして機能するＩＷＦ２５により提供される。このように、ＷＬＡＮに関連する移動局（ＭＳ）４０は、本発明に従って３Ｇ  ＵＭＴＳのＰＬＭＮ１２に関連するＳＧＳＮ２８とのインタフェースになることがある。当然のことながら、特有のアプリケーションやローミングの取り決め（セキュリティ機能を含む）に従ってプロトコルスタックが変更されてもよく、図示のスタックは例示的であり、本発明の特に有用な実施例を実証する目的である。図３はユーザ（データ）プレーンのスタックのプロトコルを示しており、図４は制御／シグナリングのスタックのプロトコルを示している。
【００２７】
当業者にわかるとおり、図３のＭＳ４０のユーザプレーンのスタックは、二重スタック（ＷＬＡＮとＵＭＴＳ）を有し、その二重スタックはアプリケーションレイヤと、伝送制御プロトコル／ユーザデータグラムプロトコル（ＴＣＰ／ＵＤＰ）レイヤと、インターネットプロトコル（ＩＰ）レイヤと、ＷＬＡＮ媒体アクセス制御／無線リンク制御／論理リンク制御（ＭＡＣ／ＲＬＣ／ＬＬＣ）レイヤと、ＷＬＡＮ物理レイヤとを有する。ＵＭＴＳ部分はまた、パケットデータ収束プロトコル（ＰＤＣＰ：  ｐａｃｋｅｔ  ｄａｔａ  ｃｏｎｖｅｒｇｅｎｃｅ  ｐｒｏｔｏｃｏｌ）と、無線リンク制御（ＲＬＣ）及びＭＡＣレイヤと、ＵＭＴＳ物理レイヤ（ＰＨＹ）とを有する。ＩＷＦ２５は、ＷＬＡＮインタフェースで移動体から受信した如何なるデータ／情報をも、３Ｇ  ＵＭＴＳシステムのＳＧＳＮと互換性のあるインタフェースで、ＵＭＴＳネットワークに転送する。例えば、ＷＬＡＮのＭＡＣ／ＬＬＣで受信されたデータは、ユーザプレーン（ＧＴＰ−Ｕ）とＵＤＰとＩＰ用のゲートウェイ・トンネリング・プロトコルで、ＩＷＦ２５によりＵＭＴＳのＳＧＳＮ２８に転送される。
【００２８】
同様の変換が制御プレーンで実行される。当業者にわかるとおり、図４のＭＳ４０の制御プレーンのスタックは、共通シグナリング・アプリケーションレイヤと、セッション管理レイヤ（ＳＭ）と、ＧＰＲＳモビリティ管理レイヤ（ＧＭＭ：ＧＰＲＳ  ｍｏｂｉｌｉｔｙ  ｍａｎａｇｅｍｅｎｔ）とを有し、ＵＭＴＳインタフェース用に、ＲＲＣ（無線リソース制御（Ｒａｄｉｏ  Ｒｅｓｏｕｒｃｅ  Ｃｏｎｔｒｏｌ）レイヤと、ＲＬＣ／ＭＡＣレイヤと、ＵＭＴＳ物理レイヤとを有し、ＷＬＡＮインタフェース上に、無線リソース制御（ＲＲＣ）の適合レイヤと、ＷＬＡＮのＭＡＣ／ＬＬＣレイヤと、ＷＬＡＮのＰＨＹレイヤとを有する。ＭＳ４０の適合レイヤ（ＡＬ）は、ＲＲＣサービスに対応するインタフェース機能を模倣する。これは、ＷＬＡＮでも３Ｇ移動体スタックのセッション管理（ＳＭ）レイヤとＧＰＲＳモビリティ管理（ＧＭＭ：ＧＰＲＳ  ｍｏｂｉｌｉｔｙ  ｍａｎａｇｅｍｅｎｔ）レイヤとを再利用するために必要である。ＩＷＦ適合レイヤ（ＡＬ）は軽装のＲＲＣの役割を果たし、ＷＬＡＮのＭＡＣ／ＬＬＣレイヤで受信されたＭＳ４０からの如何なる制御シグナリング情報（ＳＭ／ＧＭＭメッセージ）をも、３Ｇ  ＵＭＴＳシステムのＳＧＳＮと互換性のあるプロトコルでＳＧＳＮ２８に転送することがあり、その逆も同様である。前述の通り、ＩＷＦ２５は、ＧｐインタフェースでＳＭ／ＭＭシグナリングを３ＧのＳＧＳＮに転送し、スタックが３Ｇネットワークにネイティブであるように使用されることがある。
【００２９】
本発明は、少なくとも以下の利点を提供する。３Ｇネットワークのサービス品質（ＱｏＳ）ネゴシエーションと、モビリティと、ＡＡＡ手順が使用され、増加する帯域と品質と互換性の観点から全体のシステムをより効率的にする。全てのセルラーのオペレータは、ホットスポットでＷＬＡＮリソースを共有してもよく、そのホットスポットで通常のトラヒック条件のもとでシステムリソースに対して負担をかけてもよい。適切なローミングの取り決めを設けることにより、如何なるオペレータもＷＬＡＮを“所有”し、ＵＭＴＳオペレータと信頼関係を確立することができる。換言すると、如何なるオペレータからの加入者も、論理ＰＬＭＮに基づくＷＬＡＮからそのホームＰＬＭＮ又は他の指定のＰＬＭＮへの“ローミング”機能を有することがある。本発明は、ＷＬＡＮと相互接続可能な如何なるシステム（ＧＰＲＳ／ＣＤＭＡ２０００）とも動作することが可能である。
【００３０】
有利には、本発明に従って配備されたＷＬＡＮは、全てのユーザに対してＱｏＳを維持するために必要な帯域を提供する。例えば、３Ｇオペレータは、ホットスポットで自分自身のＷＬＡＮを配備する代わりに、そのネットワーク容量を増加させるために既に配備された既存のＷＬＡＮを使用してもよい。更に、ＷＬＡＮ無線リソースは、ユーザがＷＬＡＮ受信範囲領域を移動している３ＧのＲＡＴの無線リソースを解放するために使用されることがある。本発明のＰＬＭＮとＷＬＡＮとの通信は、互換性のあるプロトコル及び情報交換を作るためにＩＷＦを使用することにより、シームレスになる。
【００３１】
図５を参照すると、ルーティング領域の変更シナリオにおけるエンティティ間の相互作用を示した図が、本発明の一実施例に従って例示的に示されている。その図は、移動局（ＭＳ）４０と、ＵＭＴＳ地上波無線アクセスネットワーク（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）４２と、新たなＩＷＦ−ＳＧＳＮ４４（ＷＬＡＮのリソースを使用するために作られたもの）と、以前の３Ｇ−ＳＧＳＮ４６と、ＧＧＳＮ２４と、新たな移動体交換センター／ビジター・ロケーション・レジスタ（ＭＳＣ／ＶＬＲ：ｍｏｂｉｌｅ  ｓｗｉｔｃｈｉｎｇ  ｃｅｎｔｅｒ／ｖｉｓｉｔｏｒ  ｌｏｃａｔｉｏｎ  ｒｅｇｉｓｔｅｒ）４８と、ホーム・ロケーション・レジスタ（ＨＬＲ：ｈｏｍｅ  ｌｏｃａｔｉｏｎ  ｒｅｇｉｓｔｏｒ）５０と、以前のＭＳＣ／ＶＬＲ５２とを示している。このシナリオでは、ＭＳが高トラヒック領域（ホットスポット）に移動し、そこでＵＭＴＳのリソースが大量に取り込まれる。システムは、３Ｇ  ＵＭＴＳのリソースをより効率的に使用して、ＷＬＡＮでその容量を補完するために、ＷＬＡＮ（ＩＷＦ）を使用する。ステップ１０１において、ルーティング領域の更新要求がＭＳ４０によりＩＷＦ−ＳＧＳＮ４４に対して行われる。パケットモビリティ管理（ＰＭＭ：ｐａｃｋｅｔ  ｍｏｂｉｌｉｔｙ  ｍａｎａｇｅｍｅｎｔ）においてＭＳがアイドル状態である場合、ＩＷＦ−ＳＧＳＮ４４は、従来の３Ｇ  ＳＳＧＮ４６に対してＧｐインタフェース上でコンテキスト要求を行い、ステップ１０１でルーティング領域の更新を実行する。アイドルモードである場合、ステップ１０２においてＩＷＦ４４はＳＧＳＮコンテキスト要求をＳＧＳＮ４６に送信する。ステップ１０５において、ＳＧＳＮ４６はＩＷＦ−ＳＧＳＮ４４にコンテキスト応答を提供する。ＭＳ４０がＰＭＭ接続モードである場合、ステップ１０３においてＳＲＳＮ（サービス無線ネットワークサブシステム（Ｓｅｒｖｉｎｇ  Ｒａｄｉｏ  Ｎｅｔｗｏｒｋ  Ｓｕｂｓｙｓｔｅｍ））コンテキスト応答がＵＴＲＡＮ４２に対して行われ、ステップ１０４において応答が３Ｇ−ＳＧＳＮ４６に返信される。
【００３２】
加入者がＷＬＡＮ受信範囲領域にいる場合、ＵＭＴＳ受信範囲領域にいるのと同様に、ステップ１０６でＭＳ４０とＩＷＦ−ＳＧＳＮ４４との間でセキュリティ機能が処理されることがある。ステップ１０７において更なるセキュリティ手順が提供され、新たなＩＷＦ−ＳＧＳＮ４４を認証することがある。ステップ１０８において、コンテキスト肯定応答がＩＷＦ−ＳＧＳＮ４４からＳＧＳＮ４６に送信される。ステップ１０９において、ＩＷＦ−ＳＧＳＮ４４はパケットデータプロトコルのコンテキスト要求をＧＧＳＮ２４に送信し、ステップ１１０においてＧＧＳＮ２４はコンテキスト応答で応答する。
【００３３】
ＭＳ４０がＳＧＳＮ４６からその他のＰＬＭＮのＳＧＳＮ４４に移動すると、新たなＳＧＳＮ４４は以前のＳＧＳＮ４６のアドレスへのアクセスを有さないことがある。その代わりに、ＳＧＳＮ４４は、以前のＲＡ情報を論理名に変換することがある。次にＳＧＳＮは論理アドレスを使用して、ドメインネームサーバ（ＤＮＳ）から以前のＳＧＳＮのＩＰアドレスを取得する。各ＰＬＭＮは１つのＤＮＳサーバを有するべきである。ＧＰＲＳにＤＮＳの概念を導入することにより、例えばＧＳＮを参照する際にＩＰアドレスの代わりに論理名を使用することが可能になり、それによりＰＬＭＮノードのアドレス指定に柔軟性を有する。シームレスなＰＬＭＮ間ローミングに対応するその他の方法は、ＳＧＳＮのＩＰアドレスをＨＬＲ（ホーム・ロケーション・レジスタ（ｈｏｍｅ  ｌｏｃａｔｉｏｎ  ｒｅｇｉｓｔｅｒ））に格納し、必要に応じてアドレスを要求することである。
［モビリティ］
ＷＬＡＮはＰＬＭＮ間ローミングに対応する独立のＰＬＭＮとしての全ての動作機能を有する。高い優先度で３Ｇネットワークにより連結される時に、ＷＬＡＮはＭＳの“同等のＰＬＭＮ”のリストに含まれることが可能であり、それによりＵＭＴＳ受信範囲のＰＬＭＮと重なるＷＬＡＮ受信範囲が存在する時に、ＷＬＡＮのＰＬＭＮはＭＳにより選択される。ステップ１１１−１２０において、新たなＳＧＳＮ（ＩＷＦ２５）４４は、位置の更新（ＳＧＳＮ番号と、ＳＧＳＮアドレスと、国際移動体加入者識別表示（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ））をＨＬＲ５０に送信することにより、ＳＧＳＮの変更をＨＬＲ５０に通知する。要求と応答と肯定応答が実行される。ステップ１０２−１０５でＭＳ４０のパケット移動体管理（ＰＭＭ：Ｐａｃｋｅｔ  Ｍｏｂｉｌｅ  Ｍａｎａｇｅｍｅｎｔ）の状態に応じて以前のＳＧＳＮ４６により確認されるときに、ＭＳ４０が明示的なシグナリング接続解除をＵＴＲＡＮ４２に送信すると、ステップ１１１と１１４はＩｕ（ＲＮＣとＳＧＳＮとの間のインタフェース）解除シーケンスを実行する。以前のＶＬＲ／ＭＳＣ５２と新たなＶＬＲ／ＭＳＣ４８との間のビジター・ロケーション・レジスタＶＬＲの位置を更新するために、同様の手順が実行される。ステップ１２０−１２５はこの更新シーケンスを提供する。
【００３４】
新たなＳＧＳＮ（ＩＷＦ）４４は、ＨＬＲ５０とのＧｒインタフェース（ＨＬＲとＳＧＳＮとの間のインタフェース）を実装しないことがあり、その場合にステップ１１１−１２６と１２９がスキップされることがある。ステップ１２６において、位置更新の受領が新たなＶＬＲ／ＭＳＣ４８からＩＷＦ  ＳＧＳＮ４４に送信される。ルーティング領域の変更がステップ１２７において更新されて受領され、ステップ１２８で完了する。ステップ１２９において、ＰＴＭＳＩ（パケット一時移動体加入者識別表示（Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ））の再割当が実行され、必要に応じて完了することがある。
【００３５】
ＩＷＦはＩＷＦ２５（図１及び２）と称され、ＩＷＦ−ＳＧＳＮ４４はシステムのインタフェース位置を示すために使用される。これら用語は同義語であり、容易に置き換えられる。図５を参照して記載された方法は、例示的に以下のシナリオを示す。
１．ＵＭＴＳからＷＬＡＮへの参加
ＵＭＴＳのＳＧＳＮが１つのルーティング領域（ＲＡ）をカバーしており、ＷＬＡＮ受信範囲領域がその他のＲＡである場合、ＷＬＡＮのＩＷＦは新たなルーティング領域識別子（ＲＡＩ）（ＵＭＴＳネットワークにより事前に割り当てられたもの）をブロードキャストすることができる。ＧＰＲＳモバイル管理（ＧＭＭ：ＧＰＲＳ  Ｍｏｂｉｌｅ  Ｍａｎａｇｅｍｅｎｔ）コンテキストのユーザ装置（ＵＥ）又は移動局（ＭＳ）に格納されたＲＡＩと、ＩＷＦから受信されたＲＡＩとを比較することにより、ＲＡ更新（ＳＧＳＮ間）が実行される必要があることをＭＳ又はＵＥが検出する。その手順が図５を参照して説明される。ＳＧＳＮ間ＲＡ更新については、新たなＳＧＳＮ（ＩＷＦ）は、位置の更新（ＳＧＳＮ番号と、ＳＧＳＮアドレスと、国際移動体加入者識別表示（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ））をＨＬＲに送信することにより、ＳＧＳＮの変更をＨＬＲに通知する。しかし、図５の場合、新たなＳＧＳＮ（ＩＷＦ）はＨＬＲに対してＧｒインタフェースを実装しないことがあるため、他の識別のステップとともにこのステップがスキップされる。ＵＥのパケット移動体管理（ＰＭＭ：Ｐａｃｋｅｔ  Ｍｏｂｉｌｅ  Ｍａｎａｇｅｍｅｎｔ）の状態に応じて以前のＳＧＳＮにより確認されるときに、ＵＥが明示的なシグナリング接続解除をＵＭＴＳ地上波無線アクセスネットワーク（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）に送信すると、Ｉｕ解除シーケンスが生じる。
２．ＷＬＡＮからＵＭＴＳへの参加
ＵＭＴＳネットワークへの再参加時には、ＵＥはＳＧＳＮ間ルーティング領域の更新を再度実行し、図５の方法を繰り返す。ただし、この場合には新たなＳＧＳＮがＵＭＴＳのＳＧＳＮであり、以前のＳＧＳＮがＩＷＦであることが異なる。ＵＥがＵＭＴＳネットワークに戻ると、好ましくはＵＥを再確認するために、３Ｇセキュリティ手順が実施される。ＷＬＡＮに入っている場合には、ＩＷＦはこの状況では移動体交換センター（ＭＳＣ）／ビジター・ロケーション・レジスタ（ＶＬＲ）アソシエーションを示すＨＬＲとＵＭＴＳのＳＧＳＮを更新しておらず、ＧＧＳＮとＨＬＲの情報は無効である。従って、ＭＳがルーティング領域の更新手順をＵＭＴＳのＳＧＳＮに戻すと、ＵＭＴＳ  ＳＳＧＮのＭＳＣ／ＶＬＲとＧＧＳＮとＨＬＲ情報が更新／有効にされるように起動する。
［セキュリティ］
ＵＥがＷＬＡＮに移動したときにＵＥを確認するために、３ＧのＳＧＳＮとのＨＬＲインタフェースを使用して、有利には３Ｇセキュリティ手順が再利用される。しかし、ＰＬＭＮ間通信に必要な更なるセキュリティ機能が必要になる。
【００３６】
本発明により、二重スタックの移動体ユニットとＩＷＦは、セッション及びモビリティ管理のために、移動体から３ＧのＳＧＳＮへの既存のＳＭ／ＧＭＭ手順を使用する機能を可能にする適合レイヤ（ＡＬ）を使用する。本発明は有利には、軽装のＲＲＣの機能を模倣するために、移動体二重プロトコルスタックとＩＷＦのＷＬＡＮインタフェースのＡＬを使用することにより、ＷＬＡＮであってもＵＭＴＳのＳＭ／ＧＭＭ手順を再利用する。サービスプロバイダは、３Ｇネットワークにサービス提供する唯一の連結点を必要とし、付属のＷＬＡＮは、プロバイダがＷＬＡＮで自分の顧客基盤の堅固な制御を同様に提供する役割をする。本発明はまた、ＧＧＳＮ−ＩＷＦカプセル化の部分のみがＷＬＡＮ受信範囲領域で行われるため、ＵＭＴＳネットワークのような二重のＧＴＰカプセル化（ＧＧＳＮ−ＳＧＳＮとＳＧＳＮ−ＲＮＣ）が回避されるという利点を有する。本発明の相互接続アーキテクチャには既存のＵＭＴＳネットワークノードに対する変更が必要なく、シームレスなハンドオーバーが提供される（例えばセッションの欠落がない）。
ＷＬＡＮ／ユニバーサル移動体通信システムの相互接続用の公衆移動体ネットワークとしての無線ローカルエリアネットワーク（ＷＬＡＮ）の好ましい実施例が説明されたが（これは説明を目的としており、限定のためではない）、留意すべき点は、前述の教示を踏まえて当業者により変更と変形が行われ得ることである。従って、当然のことながら、開示された本発明の特定の実施例で変更が行われることがあり、それは特許請求の範囲に記載される通り、本発明の範囲内及び要旨内である。特許法に必要な詳細と特殊性で本発明が説明されたが、特許証により保護されることを請求する内容は特許請求の範囲に示されている。
【図面の簡単な説明】
【００３７】
【図１】本発明の一実施例に従って、ＵＭＴＳのＰＬＭＮにインタフェース接続されるＷＬＡＮを有するシステムアーキテクチャの概念図である。
【図２】本発明に従って、ＵＭＴＳのＰＬＭＮにインタフェース接続され、ＷＬＡＮのＰＬＭＮとして使用されるＷＬＡＮを示した例示的なシステム図である。
【図３】本発明の一実施例に従って、ＷＬＡＮ移動局とＵＭＴＳのＰＬＭＮとの間のプロトコル互換性を作る相互接続機能インタフェースを示したユーザプレーンのスタック図である。
【図４】本発明の一実施例に従って、ＷＬＡＮ移動局とＵＭＴＳのＰＬＭＮとの間のプロトコル互換性を作る相互接続機能インタフェースを示した制御プレーンのスタック図である。
【図５】本発明の一実施例に従って、ＷＬＡＮとＵＭＴＳのＰＬＭＮとの間のルーティング領域の変更を示した例示的な図である。
【図１】
2005523613.tif 000003
【図２】
2005523613.tif 000004
【図３】
2005523613.tif 000005
【図４】
2005523613.tif 000006
【図５】
2005523613.tif 000007
【国際調査報告】
2005523613.tif 000008